(57)【要約】  本発明は、頸状ハウジング部８０を有するハウジング２０と、吊り下げ要素９０とを備えた手持ち工具１０に関し、吊り下げ要素９０は吊り下げ要素を頸状ハウジング部に接続するための接続部９１と工具を別部品に一時的に吊り下げるための吊り下げ部とを有し、この接続部９１は２つの弾性アーム９３、９４を備え、弾性アームは対向する両側面で頸状ハウジング部を嵌め込むように囲み、これにより吊り下げ要素をハウジングに接続する。【選択図】図２
2020511323.tif 000002
【特許請求の範囲】
【請求項１】
頸状ハウジング部を有するハウジングと吊り下げ要素とを備えた手持ち工具であって、前記吊り下げ要素は前記頸状ハウジング部に接続するための接続部と前記工具を別部品に一時的に吊り下げるための吊り下げ部とを有し、前記接続部は２つ対向する弾性アームを備え、対向する前記弾性アームの両側面で前記頸状ハウジング部を嵌め込むように囲み、前記吊り下げ要素を前記ハウジングに接続する、ことを特徴とする手持ち工具。
【請求項２】
前記２つの弾性アームの少なくとも１つは、嵌め込みによる接続を形成するために、前記頸状ハウジング部に係合する嵌め込みのためのラグを有する、ことを特徴とする請求項１に記載の工具。
【請求項３】
前記嵌め込みのためのラグは、前記少なくとも１つの弾性アームの前記吊り下げ部とは反対側にある端に配置される、ことを特徴とする請求項２に記載の工具。
【請求項４】
前記頸状ハウジング部はピボット軸を規定する周面を有し、前記吊り下げ要素は前記ピボット軸の周りを回動できるように前記ハウジングに接続される、ことを特徴とする請求項１乃至３の何れか１つに記載の工具。
【請求項５】
前記頸状ハウジング部はラッチ凹部を有し、前記２つの弾性アームの少なくとも１つはラッチングカムを有し、前記ラッチングカムは前記ラッチ凹部に係合して前記吊り下げ要素を前記ピボット軸の周りのピボット位置に係止させる、ことを特徴とする請求項１乃至４の何れか１つに記載の工具。
【請求項６】
前記ラッチ凹部における前記ラッチングカムの係合のための深さは、前記頸状ハウジング部における前記嵌め込みのためのラグの係合のための深さより浅い、ことを特徴とする請求項５に記載の工具。
【請求項７】
前記頸状ハウジング部は複数のラッチ凹部を有し、前記ラッチングカムは前期ラッチ凹部と前記ピボット軸の周りの前記吊り下げ要素の異なるピボット位置で係合する、ことを特徴とする請求項５及び６に記載の工具。
【請求項８】
前記吊り下げ要素はプラスチック材料から成る、ことを特徴とする請求項１乃至７の何れか１つに記載の工具。
【請求項９】
前記接続部と前記吊り下げ部は一体に形成される、ことを特徴とする請求項１乃至８の何れか１つに記載の工具。
【請求項１０】
前記ハウジングは電気化学蓄電池の接続領域を有し、前記電気化学蓄電池の前記接続領域は前記頸状ハウジング部に直に隣接する、ことを特徴とする請求項１乃至９の何れか１つに記載の工具。
【請求項１１】
前記ハウジングは片手の指で掴むことができるハンドルを有し、前記ハンドルは前記頸状ハウジング部を備えるか、又は前記頸状ハウジング部に直に隣接する、ことを特徴とする請求項１乃至１０の何れか１つに記載の工具。
【請求項１２】
前記頸状ハウジング部は、前記ハンドルと前記電気化学蓄電池の前記接続領域との間に配置される、ことを特徴とする請求項９及び１０に記載の工具。
【請求項１３】
前記工具は鋲打ち機である、ことを特徴とする請求項１乃至１２の何れか１つに記載の工具。
【発明の詳細な説明】
【技術分野】
【０００１】
本願は、ハウジングと吊り下げ要素とを備えた手持ち工具に関する。
【背景技術】
【０００２】
手持ち工具は通常ハウジングを有する。さらに、ベルト又は足場等の別部品にこの工具を吊り下げるために、手持ち工具に留め付けられる吊り下げ要素も知られている。そして、この吊り下げ要素は、例えば、ベルト又は足場のポールに架けるためのフックを備える。
【発明の概要】
【０００３】
本願の１つの態様において、手持ち工具は、頸状ハウジング部を有するハウジングと、吊り下げ要素とを備え、吊り下げ要素は吊り下げ要素を頸状ハウジング部に接続するための接続部と工具を別部品に一時的に吊り下げるための吊り下げ部とを有し、接続部は２つの弾性アームを備え、弾性アームは対向する両側面」で頸状ハウジング部を嵌め込むように囲み、それにより吊り下げ要素をハウジングに接続する、ことを特徴とする。弾性アームは、弾力的に拡張できることができることが好ましい。
【０００４】
本発明の優位性のある態様において、２つの弾性アームの少なくとも１つは、嵌め込みのための接続を形成するために頸状ハウジング部に係合する嵌め込みのためのラグを有する。この嵌め込みのためのラグは、吊り下げ部とは反対方向にある少なくとも１つの弾性アームの端に配置されることが好ましい。
【０００５】
優位性のある態様において、頸状ハウジング部はピボット軸を規定する周面を有し、吊り下げ要素はこのピボット軸の周りを回動することができるようにハウジングに接続される。
【０００６】
優位性のある態様において、頸状ハウジング部はラッチ凹部を有し、２つの弾性アームの少なくとも１つはラッチングカムを有し、このラッチングカムはラッチ凹部に係合して吊り下げ要素をピボット軸の周りのピボット位置に係止させる。
【０００７】
優位性のある態様において、ラッチ凹部におけるラッチングカムの係合のための深さは、頸状ハウジング部における嵌め込みのためのラグの係合のための深さより浅い。これにより、吊り下げ要素がピボット軸を回動する際にも、吊り下げ要素が頸状ハウジング部に嵌め込みのためのラグにより接続されることが保証される。
【０００８】
優位性のある態様において、頸状ハウジング部は複数のラッチ凹部を有し、ラッチングカムはピボット軸の周りの吊り下げ要素の異なるピボット位置で係合する。
【０００９】
優位性のある態様において、吊り下げ要素はプラスチック材料から成る。適切な形状においては、弾性アームは十分な弾力性を有する一方で、吊り下げ要素は全体として工具に対して耐えるに十分な剛性を有する。
【００１０】
優位性のある態様において、ハウジングは電気化学蓄電池の接続領域を有し、この電気化学蓄電池の接続領域は頸状ハウジング部に直に隣接する。
【００１１】
優位性のある態様において、ハウジングは片手の指で掴むことができるハンドルを有し、ハンドルは頸状ハウジング部を備えるか、又は頸状ハウジング部に直に隣接する。
【００１２】
頸状ハウジング部は、ハンドルと電気化学蓄電池の接続領域との間に配置されることが好ましい。
【００１３】
優位性のある態様において、工具は鋲打ち機である。
【００１４】
本発明の手持ち工具について、以下で実施例をより詳細に図面に基づき説明する。
【図面の簡単な説明】
【００１５】
【図１】手持ち工具の側面図である。
【図２】手持ち工具の後方図である。
【図３】手持ち工具の後方図である。
【図４】吊り下げ要素の斜視図である。
【図５】吊り下げ要素の平面図である。
【図６】手持ち工具の部分図である。
【発明を実施するための形態】
【００１６】
図１は、留め付け要素、例えば、釘又はボルトを基盤（被打ち込み部材）に打ち込むための鋲打ち機として構成された手持ち工具１０の側面図である。工具１０は、留め付け要素にエネルギーを伝達するためのエネルギー伝達要素（図示されていない）と、このエネルギー伝達要素とエネルギー伝達要素を移動するための打ち込み手段（同様に図示されていない）とが収納されたハウジング２０とを備える。
【００１７】
工具１０は、片手の指で掴むことができるハンドル３０と、マガジン４０と、ハンドル３０をマガジン４０に接続するブリッジ５０とをさらに備える。マガジンは、取り外し不能である。例えば、バッテリといった電気化学エネルギー蓄電池（図示されていない）の接続領域６０がブリッジ５０に配置される。留め付け要素の設置を手動で行うためのトリガ３５は、ハンドル３０に配置されている。工具１０は、留め付け要素を案内するための案内チャネル７０をさらに有する。工具１０を基盤に対して垂直に配列するための調整は、アライメント補助４５により容易になされる。
【００１８】
ハウジング２０は、ハンドル３０と電気化学蓄電池の接続領域６０との間に配置された頸状ハウジング部８０を備える。この頸状ハウジング部８０の一端にハンドル３０が直に接続され、もう一端には接続領域６０が接続される。このハウジング２０に、工具１０をベルト又は足場ポール等の別部品に一時的に吊り下げるのに適する、吊り下げ要素９０が、頸状ハウジング部８０に接続される。
【００１９】
図１において吊り下げ要素９０にほぼ覆われた頸状ハウジング部８０の周面は、円筒ジャケット形状で、異なるピボット位置間を回動できるようなピボット軸８５を規定し、その周りで吊り下げ要素９０がハウジング２０に接続されることが好ましい。図１に示される非作動状態において、吊り下げ要素９０は実質的に完全にハウジング２０が覆う空間内にあり、吊り下げ要素９０は工具１０での作業を妨害しない。
【００２０】
図２は、吊り下げ要素９０が非作動状態から左にピボット軸８５の周りを９０°回動した状態の工具１０を示す。左のピボット位置において、吊り下げ要素９０は右利きの人にはベルトフック、左利きの人には足場フックとして適している。
【００２１】
図３は、吊り下げ要素９０が非作動状態から右にピボット軸８５の周りを９０°回動した状態の工具１０を示す。右のピボット位置において、吊り下げ要素９０は左利きの人にはベルトフック、右利きの人には足場フックとして適している。
【００２２】
図４は、吊り下げ要素９０の斜視図である。吊り下げ要素９０は、吊り下げ要素９０を頸状ハウジング部８０に接続するための接続部９１と、フックとして構成される吊り下げ部９２とを備える。接続部９１は２つの弾性アーム９３、９４を有し、弾性アーム９３、９４は対向する両側面で頸状ハウジング部８０を嵌め込む（スナップフィット）ように囲み、吊り下げ要素９０をハウジング２０に接続する。接続部９１は、弾性アーム９３、９４の拡張及びそれ故に吊り下げ要素９０の頸状ハウジング部８０への取り付けを容易にする切れ込み９５を有する。
【００２３】
接続部９１と吊り下げ部９２は一体的に形成され、すなわち１つの素材から成り且つプラスチック製であり、吊り下げ要素９０は実質的にプラスチック材料から成る。そのため、この形状においては、弾性アーム９３、９４は十分な弾力性を有する一方で、吊り下げ要素９０は全体として工具１０に耐えるに十分な剛性を有する。吊り下げ要素９０はねじ等のさらなる留め付け要素を必要とせずにハウジング２０に接続され、ハウジング２０から手作業で、工具を使わずに取り外すことができる。
【００２４】
図５は、吊り下げ要素９０の平面図である。２つの弾性アーム９３、９４はそれぞれ、吊り下げ部９２とは反対側の弾性アームの端に、嵌め込みのためのラグ９６、９７を備え、これらの嵌め込みのためのラグ９６、９７は頸状ハウジング部８０において、係合のための深さにより、係合して嵌め込み接続を形成する。２つの弾性アーム９３、９４はそれぞれラッチングカム９８、９９をさらに備え、これらのラッチングカム９８、９９は頸状ハウジング部８に窪みとして形成されたラッチ凹部８１において、その係合のための深さにより係合するよう配置され、吊り下げ要素９０をピボット軸の周りのピボット位置に留め付ける。ラッチ凹部８１におけるラッチングカム９８、９９の係合のための深さは、頸状ハウジング部８０における、嵌め込みのためのラグ９６、９７の係合のための深さより浅い。結果として、吊り下げ要素９０は、吊り下げ要素９０がピボット軸を回動する際であっても、嵌め込みのためのラグ９６、９７により頸状ハウジング部８０に接続される。
【００２５】
図６は、頸状ハウジング部８０を有する手動案内工具１０及びそのピボット軸８５を示す部分図である。頸状ハウジング部８０は４つのラッチ凹部８１を有し、吊り下げ要素９０のラッチングカム９８、９９はピボット軸８５の周りの異なるピボット位置でそれぞれに係合する。ラッチ凹部８１は対する２つが一組として配置され、ラッチングカム９８、９９はこれらの組と同時に係合する。２つの隣接するラッチ凹部８１間の角距離は９０°であることが好ましい。
【００２６】
本発明についての記載は、鋲打ち機の例を用いて説明したものである。しかしながら、本発明は他の工具でも適用可能である。
【図１】
2020511323.tif 000003
【図２】
2020511323.tif 000004
【図３】
2020511323.tif 000005
【図４】
2020511323.tif 000006
【図５】
2020511323.tif 000007
【図６】
2020511323.tif 000008
【国際調査報告】
2020511323.tif 000009
2020511323.tif 000010
2020511323.tif 000011
2020511323.tif 000012